(57)【要約】従来の衣服と比べてより立体的なフィット性をもたらす人間工学的衣服（１０）が開示される。これらの人間工学的衣服（１０）は、着用者の手足の運動平面に向かって湾曲するシームによって特徴付けられる。ズボンには、前部縦軸線（１８）に向かって湾曲する外側シーム（１２）及び後部縦軸線（２２）に向かって湾曲する内側シーム（２０）、又はその逆を有する脚部が設けられる。衣服、シャツ、及び、ブラウスには、１つ又はそれ以上の縦軸方向のシームを有する袖（３０）が設けられ、このシームは、腕の運動平面と一致する、袖の前部又は後部に沿う縦軸線に向かって湾曲する。このような衣服は、直線的なシームを有する従来の衣服と比べて、運動のより大きな自由度を与える。
2004501284.tif 000002
【特許請求の範囲】
【請求項１】
互いに縫い込まれてシームを形成した所定寸法を有する複数の加工素材から製作された人間工学的衣服であって、
少なくとも１つのシームは、着用者の運動平面に向かって湾曲される、
ことを特徴とする人間工学的衣服。
【請求項２】
各々が内側シーム及び外側シームを有する２つの脚部を備えるズボンを含み、
前記内側シーム及び外側シームのうちの少なくとも１つは、前記ズボン脚部の前部縦軸線及び後部縦軸線を縦軸方向に二分する運動平面に向かって湾曲する、
ことを特徴とする請求項１に記載の人間工学的衣服。
【請求項３】
前記外側シームは、前記ズボン脚部の前記前部縦軸線に向かって湾曲することを特徴とする請求項２に記載の人間工学的衣服。
【請求項４】
前記内側シームは、前記ズボン脚部の背部縦軸線に向かって更に湾曲することを特徴とする請求項３に記載の人間工学的衣服。
【請求項５】
少なくとも一方のズボン脚部の後部に取り付けられ、前記外側シームに向かって曲げられた開きを有する、ポケットを更に含むことを特徴とする請求項２に記載の人間工学的衣服。
【請求項６】
各々が少なくとも１つのシームを備える２つの袖を有する、着用者の上半身を覆う衣服を含み、
前記シームは、前記袖の前部縦軸線及び後部縦軸線を縦軸方向に二分する運動平面に向かって湾曲する、
ことを特徴とする請求項１に記載の人間工学的衣服。
【請求項７】
前記シームは、前記袖の前記前部に向かって湾曲することを特徴とする請求項６に記載の人間工学的衣服。
【請求項８】
各袖は、内側シームを有し、
前記内側シームの各々は、前記背部縦軸線に向かって湾曲する、
ことを特徴とする請求項６に記載の人間工学的衣服。
【請求項９】
各袖は、外側シームを更に有し、
前記外側シームの各々は、前記前部縦軸線に向かって湾曲する、
ことを特徴とする請求項８に記載の人間工学的衣服。
【請求項１０】
前記衣服の前部に、最も近くの袖に向くように傾けられた開きを有する少なくとも１つのポケットを含むことを特徴とする請求項６に記載の人間工学的衣服。
【請求項１１】
ジャケット、シャツ、及び、ブラウスから成る群から選択されることを特徴とする請求項６に記載の人間工学的衣服。
【請求項１２】
着用者の１つ又はそれ以上の手足の運動平面に向かって湾曲するシームを加工素材間に形成するために、加工素材を所定の大きさ及び形状に裁断する段階と、
衣服を製作する所定の方法で前記加工素材を互いに縫い込む段階と、
を含むことを特徴とする、複数の布加工素材から人間工学的衣服を製作する方法。
【請求項１３】
前記加工素材は、ズボンを形成するために互いに縫い込まれることを特徴とする請求項１２に記載の方法。
【請求項１４】
前記シームは、前部縦軸線及び後部縦軸線を有するズボン脚部を形成する外側シーム及び内側シームを含むことを特徴とする請求項１３に記載の方法。
【請求項１５】
前記外側シームは、前記前部縦軸線に向かって湾曲するように形成されることを特徴とする請求項１４に記載の方法。
【請求項１６】
前記内側シームは、前記後部縦軸線に向かって湾曲するように形成されることを特徴とする請求項１５に記載の方法。
【請求項１７】
前記加工素材は、着用者の上半身部分に着用する袖付き衣服を形成するために互いに縫い込まれることを特徴とする請求項１２に記載の方法。
【請求項１８】
前記シームは、前部縦軸線及び後部縦軸線を有する袖を形成する、少なくとも内側シームを含むことを特徴とする請求項１７に記載の方法。
【請求項１９】
前記内側シームは、前記前部縦軸線に向かって湾曲するように形成されることを特徴とする請求項１８に記載の方法。
【発明の詳細な説明】
【０００１】
発明の分野
本発明は、一般に衣服に関し、より具体的には、人間の身体の湾曲及び動きに合うように構成された衣類に関する。
【０００２】
発明の背景
従来の衣類は、通常、シーム（縫い目）を形成することにより互いに接合された複数の布加工素材から製作される。競争力を持つためには、製造コストを最小にする方法で衣服を製作することが必要である。このことは、直線的なシームが機械を用いて容易で安価に生産されることから、ほとんどの場合、できるだけ多くの直線的なシームを使用して互いに縫い込まれた衣服部分をもたらす結果となる。一般に、衣服を生産するのに必要な労働コストを減らすため、人間のミシンオペレータによる操作を必要とする湾曲した又は複雑な継ぎ目やシームは最小に保たれる。そのような従来の製作技術は、実質的に２次元的で平坦に見える衣類を生み出し、それは、小売店の環境で最小の空間を占めるように容易に折り畳まれ、製品の在庫コストを同じく低減する。
【０００３】
しかし、人間の身体は、実質的に立体的なほぼ円筒形の形状で形成された湾曲構造である。従って、直線的シームの数を最大にする衣服を着用した場合、そのフィット性は最適以下であることが多く、手足が運動する方向の衣服の布は、着用者の自由な動きを妨げる。これは、腕又は脚の外側又は内側端部に沿って、又は、身体の側部に沿って、シームが従来的に側部に位置しているためである。脚や腕は、側部の方向には実質的に曲がらず、むしろ、腕、脚、及び、身体の前部及び後部に見出せる縦軸方向の軸線を通って延びる平面内をより頻繁に動くので、従って、余分な空間や余裕、及び、一般にシームに見出せる布の「余裕（ｇｉｖｅ）」は無駄になっている。その結果、従来の衣類は、身体の自由で容易な動きを制限することが多く、特にそのような衣類がぴったりと合っている場合はそうである。
【０００４】
最近になって、顧客は、制限的又はきつく体に合う衣類に対して、非常に大きい又は「ゆったりした」衣類を購入するという反応を示している。そのような衣類はぴったり過ぎることによる動きの制限はないものの、使用される余分な布地は、身体に伝える余分な重量をもたらし、極端な動きが行われる時に重なったりこすれたりして身体の自由な動きを妨げる可能性がある。
【０００５】
このように、実質的に自由で快適な動きのための空間をもたらすために、人間の身体の立体的で実質的に円筒形の形状に合うように特別に製造された良好なフィット性を有する衣類への必要性が存在する。
【０００６】
発明の概要
本発明は、互いに縫われてシームを形成した所定寸法を有する複数の加工用素材から製作され、少なくとも１つのシームが着用者の運動平面に向かって湾曲している人間工学的衣服を提供する。
【０００７】
一実施形態において、人間工学的衣服は、各々が内側及び外側のシームを有する２つの脚部を有するズボンであり、内側及び外側シームは、各ズボン脚部の前部縦軸線及び後部縦軸線を縦軸方向に二分する運動平面に向かって湾曲する。好ましい実施形態においては、外側シームは、前部縦軸線に向かって湾曲し、内側シームは、後部縦軸線に向かって湾曲する。
【０００８】
別の実施形態において、人間工学的衣服は、使用者の上半身を覆う袖付きの衣服であり、各袖は、その袖の前部縦軸線と後部縦軸線とを縦軸方向に二分する運動平面に向かって湾曲する少なくとも１つのシームを有する。
【０００９】
更に別の実施形態において、本発明は、複数の布加工素材から人間工学的衣服を製作する方法を提供し、その場合、布加工素材は、着用者の１つ又はそれ以上の手足の運動平面に向かって湾曲する前記布加工素材間のシームを形成するために所定の大きさ及び形状に裁断され、そのように裁断された布加工素材は、衣服を製作する所定の方法で互いに縫い込まれる。
【００１０】
本発明の他の形態及び利点は、本発明の原則を例示的に示す添付図面と関連させて為される以下の詳細説明から明らかになるであろう。
【００１１】
最適な実施形態の詳細な説明
本発明の人間工学的衣服は、着用者の実質的に自由で妨げられない動きを可能にする十分な布地を適切な位置に準備するために、より立体的な形状を有する。
【００１２】
図１〜図３は、本発明がもたらす衣服の１つの種類、すなわち、１着の人間工学的ズボン１０を示す。動きの自由度を与えるより良いフィット性を得るのに必要な立体的形状を達成するためには、衣類で覆われた身体部分の「運動平面」内か、又は、その近くにシームを配置することが必要である。「運動平面」とは、身体の一部が動く平面である。例えば、図１０で示すように、ひざは下肢をＹＺ平面で動かす。上肢も実質的にＹＺ平面で動く。従って、シームが脚の運動平面の近く又は内部にあるように、ズボンのシームを脚の内側及び外側端部から脚の前部縦軸線１８及び後部縦軸線２２にできるだけ近く移動することが非常に好ましい。
【００１３】
シームを側部に沿うよりも前後部に置くようにズボンのデザインを全く改めることは可能であろうが、それは、根本的に新しいデザインを必要とし、股を形成してポケットを設けるための非常に異なる、恐らく高価な製作技術を必要とするであろう。それに加えて、そのような根本的に新しいデザインは、たとえフィット性が十分に改善されたとしても、顧客が受け入れないかも知れない。従って、図１及び図３に示すように、ウエスト１４から臀部１６付近までの外側シーム１２の上部を、補償すべき動きがほとんどない身体の側部（又は、身体の側部の少し前方）にほぼ沿って配置し、次に、外側シーム１２を脚の前部縦軸線１８に向かって湾曲させることが好ましい。内側シーム２０は、図２及び図３に示すように、股から脚の背部又は後部縦軸線２２に向かって湾曲されることが好ましい。外側シーム１２及び内側シーム２０のこの湾曲は、ズボンの製作に使用される背面パネル及び前面脚パネル用の布加工素材を作り直すことによって最も容易に得られる。いくつかの場合には、股領域のシームを排除するために、当業技術で知られるように、湾曲した外側シームと内側シームとを股パネルと組み合わせることもまた必要であろう。
【００１４】
様式的な観点からは、外側シーム１２を脚の前部縦軸線１８に向かって湾曲させ、内側シーム２０を脚の背部縦軸線２２に向かって湾曲させることが最も好ましいが、方向を逆にすること、例えば、外側シームを脚の背部縦軸線２２に向かって移動し、内側シーム２０を脚の前部縦軸線１８に向かって移動させることもまた可能であろう。
【００１５】
運動平面に向かってシームを移動する技術はまた、他の衣服にも同様に応用することができ、衣服をより立体的でよりフィット性の高いものにする。図４は、単一の布加工素材から形成された袖と、脇の下近くの位置から出て袖の前部縦軸線４８における運動平面に向かって湾曲する単一の袖内側シーム２６とを含むジャケット２４を示す。この製作方法は、袖内側シームを、そのシームが実質的にその全長に亘って腕と身体との間に比較的隠されている腕の内側に沿って配置する従来の方法と好対照を成している。本発明の方法は、様式的な外観及びより立体的なフィット性を有する袖を提供する。着用者の胴体に対するより良いフィット性はまた、着用者の前面と、背骨から胸骨及びへそを通って延びる運動平面とに向かって、サイドシーム２８を湾曲させることによりもたらすことができる。同様に、サイドシーム２８は、図９に示すように着用者の後部に向かって湾曲させることもできる。
【００１６】
図５〜図７に示すようなより良いフィット性を有する袖付き衣服は、１つよりもむしろ２つの布加工素材から各々の袖を製作し、内側シーム３６及び外側シーム３４を形成することによって準備することができる。第１の布加工素材３０は、衣服の背と各袖の外側部分とを形成する。第２の布加工素材３２は、各袖の内側部分を形成する。加工素材３０及び３２の間に形成された外側シームは、肩から実質的に各袖の前部縦軸線４８における運動平面に沿って袖の前面を下方に延びる。加工素材３０及び３２の間に形成された内側シームは、脇の下から延びて、肘を袖の背部縦軸線５０に沿って縦軸方向に二分する運動平面に向かって湾曲する。それに加えて、衣服の胴体部分には、背骨から胸骨及びへそを通って延びる運動平面に向かって延びるサイドシーム３８を設けることにより、より良い更に立体的なフィット性をもたらすことができる。
【００１７】
使用者に衣服をより容易に使用させるために衣服に関して変更できる別の形態は、ポケットである。従来のポケットは、一般に垂直及び水平方向に配列されている。この構成は、美学的には満足できるが、ポケットを使用に適さないものとする場合が多い。従って、本発明の人間工学的衣服については、ポケットを衣服の下方に更に下げ、図８に示すように、ポケット４０の開き４２をポケット４０を使用することになる手の腕の方に向けて、ポケットを通常の向きから角度αで配置することが好ましい。これは、ポケットへのアクセスを容易にする。図８に示すように、シャツ及び／又はジャケットのポケット４０は、好ましくは、ポケットの開きをそのポケットにアクセスすることになる手の腕に向かって傾ける又は角度をつけて、衣服の前面に低く配置される。図２及び図３に示すように、ポケット４０がズボンの背部に配置される場合、それらは、臀部の下方に更に下げられて（ウエストバンドに近く上方に位置するよりも）傾けられるために、各ポケット４０の開き４２がそのポケット４０が取り付けられたズボン脚部の外側シームに向かって傾斜し、それはまた、ポケットの開きをそのポケットにアクセスする可能性が最も高い手の腕に向かって傾斜させる。時計入れポケットのような小さい又は名ばかりのポケットは、全体を取り除くか、又は、より好ましくは、より大きくして人間工学的衣服に使用される時に役立つようにされる。図１に示すように、時計入れポケット４４は、その幅が実質的にポケットの開きの全体幅に亘って延び、手をズボン１０のウエストバンドのすぐ下に位置する時計入れポケットの開き４６を通って容易に挿入できるように、その従来の大きさから劇的に大きさを増大させることができる。
【００１８】
本発明の人間工学的衣服を製作するためには、良好な立体的フィット性を備えるのに必要な湾曲をもたらすことになる、所定の大きさ及び形状を有する衣服加工素材を設計する必要がある。例えば、図１１に示すように、ズボンの１つの型を本発明の下で製作するのに必要な加工素材には、右バックパネル１００、左バックパネル１０２，右フロントパネル１０４、左フロントパネル１０６，ウエストバンド１２０、左右フロントポケット１１０及び１０８、左右フロントフェーシング１１８及び１１６，右チャック加工素材１２６及び左チャック加工素材１２８、左右後部ポケット１２０及び１２２、及び、時計入れポケット１２４が含まれる。これらの部分、特にこの型に対するバックパネルは、それらが予め決められたように互いに縫い込まれた時、各ズボン脚部の背部縦軸線に向かって湾曲する内側シームが形成され、各ズボン脚部の前部縦軸線に向かって湾曲する外側シームが形成されることになるように形作られる。
【００１９】
当業者は、上述の実施形態が単に例証的であって、本明細書の教示の精神に基づく他の方式も本発明の範囲に含まれることを認めるであろう。
【図面の簡単な説明】
【図１】
本発明のズボンの正面全体図である。
【図２】
図１に示すズボンの後面全体図である。
【図３】
本発明のズボンの側面全体図である。
【図４】
本発明のジャケットの正面全体図である。
【図５】
本発明のシャツの背面全体図である。
【図６】
図５のシャツの正面図である。
【図７】
図５のシャツの側面図である。
【図８】
本発明の別のシャツの正面図である。
【図９】
図８のシャツの背面図である。
【図１０】
１つの手足の回転平面を示す図である。
【図１１】
本発明のズボンを製作するための布加工素材を示す図である。
【図１】
2004501284.tif 000003
【図２】
2004501284.tif 000004
【図３】
2004501284.tif 000005
【図４】
2004501284.tif 000006
【図５】
2004501284.tif 000007
【図６】
2004501284.tif 000008
【図７】
2004501284.tif 000009
【図８】
2004501284.tif 000010
【図９】
2004501284.tif 000011
【図１０】
2004501284.tif 000012
【図１１】
2004501284.tif 000013
【国際公開パンフレット】
2004501284.tif 000014
2004501284.tif 000015
2004501284.tif 000016
2004501284.tif 000017
2004501284.tif 000018
2004501284.tif 000019
2004501284.tif 000020
2004501284.tif 000021
2004501284.tif 000022
2004501284.tif 000023
2004501284.tif 000024
2004501284.tif 000025
2004501284.tif 000026
2004501284.tif 000027
2004501284.tif 000028
2004501284.tif 000029
2004501284.tif 000030
【国際調査報告】
2004501284.tif 000031